(57)【特許請求の範囲】
【請求項１】
文字及び／又は図形からなる図柄が発光素子の光及び太陽光によって視認できるようにした発光表示装置において、
側面には光入射部が設けられ、表面には視認される半透光性又は不透光性の図柄が形成され、裏面には側方からの光を前方に反射することにより上記図柄を背後から照明して発光させる光の反射図柄が上記表面の図柄の背後に位置して上記表面の図柄と同一の大きさでかつ同一の形状に形成された透光性の導光板と、
該導光板の側面の光入射部に設けられ、上記導光板の側面から内方に向けて光を入射させる発光素子と、
上記導光板の背後に配置され、上記導光板の表面から入射した太陽光を前方に反射することにより上記図柄の輪郭及び周囲を発光させる白色の裏板と、
を備えたことを特徴とする発光表示装置。
【請求項２】
文字及び／又は図形からなる図柄が発光素子の光及び太陽光によって視認できるようにした発光表示装置において、
側面には光入射部が設けられ、裏面には側方からの光を前方に反射することにより上記文字及び／又は図形からなる図柄を発光させる光の反射図柄が上記文字及び／又は図形からなる図柄と同一の大きさでかつ同一の形状に形成された透光性の導光板と、
該導光板の側面の光入射部に設けられ、上記導光板の側面から内方に向けて光を入射させる発光素子と、
上記導光板の背後に配置され、上記導光板の表面から入射した太陽光を前方に反射することにより上記反射図柄の輪郭及び周囲を発光させて上記反射図柄を浮き上がったように表示する白色の裏板と、
上記導光板と裏板との間に介在され、視認されるべき図柄が上記反射図柄の背後に位置して上記反射図柄と同一の大きさでかつ同一の形状に打ち抜き形成され、着色された透光性のカッティングシートと、
を備えたことを特徴とする発光表示装置。
【請求項３】
上記導光板の表面には半透光性又は不透光性の図柄が上記反射図柄の前方に位置して上記反射図柄と同一の大きさでかつ同一の形状に形成されている請求項２記載の発光表示装置。
【請求項４】
上記導光板表面の図柄は半透光性シート又は不透光性シートを上記図柄の形状に切り取ったカッティングシートを上記導光板の表面に貼り付けることによって構成されている請求項１又は３記載の発光表示装置。
【請求項５】
上記導光板表面の図柄は半透光性又は不透光性の塗料を用いて上記導光板の表面に塗布し又は印刷加工することによって構成されている請求項１又は３記載の発光表示装置。
【請求項６】
上記導光板裏面の反射図柄は上記導光板の裏面を上記図柄と同一の大きさでかつ同一の形状にレーザー加工、ブラスト加工又はシルク印刷することによって形成されている請求項１又は２記載の発光表示装置。
【発明の詳細な説明】
【技術分野】
【０００１】
この発明は発光表示装置に関し、特に夜間には文字や図形などの図柄が浮き上がって見え、昼間にはその図形が太陽光によって鮮明に視認できるようにした装置に関する。
【背景技術】
【０００２】
例えば、地震、火災、台風などの緊急時には住民を非難場所や建造物の外に安全かつ確実に誘導するための誘導標識が大切である。
【０００３】
従来この種の誘導標識は導光板の表面に文字や図形などの図柄を印刷加工などによって形成する一方、導光板の裏面全面に光の反射板を設け、導光板の側面から例えばＬＥＤの光を入射させ、導光板の反射板で反射させ、夜間において図柄を明瞭に視認できるようにした誘導標識が知られている（特許文献１、特許文献２、特許文献３）。
【０００４】
【特許文献１】特開２００５−２６５９６６号公報
【特許文献２】特開２００５−３８７７１号公報
【特許文献３】特開２００３−４１５３３号公報
【発明の開示】
【発明が解決しようとする課題】
【０００５】
しかし、従来の誘導標識では夜間には有効であるものの、昼間には導光板の表面から入射した光が乱反射されてしまい、誘導の図柄が見にくいという問題があった。
【０００６】
本発明はかかる問題点に鑑み、夜間には文字や図形などの図柄が浮き上がって見え、昼間にはその図形が太陽光によって鮮明に視認できるようにした発光表示装置を提供することを課題とする。
【課題を解決するための手段】
【０００７】
そこで、本発明に係る発光表示装置は、文字及び／又は図形からなる図柄が発光素子の光によって視認できるようにした発光表示装置において、側面には光入射部が設けられ、表面には視認される図柄が形成され、裏面には側方からの光を前方に反射する光の反射図柄が形成された透光性の導光板と、該導光板の側面の光入射部に設けられ、上記導光板の側面から内方に向けて光を入射させる発光素子と、上記導光板の背後に配置され、上記導光板の表面から入射した光を前方に反射する裏板と、を備えたことを特徴とする。
【０００８】
本発明の特徴の１つは導光板の表面に図柄を設け、導光板の裏面に光の反射図柄を設けて導光板側面から入射した発光素子の光を反射図柄で前方に反射するとともに、導光板の背面に裏板を設けて導光板表面から入射した光を裏板で前方に反射するようにした点にある。
【０００９】
これにより、導光板側面から入射された発光素子の光は反射図柄で反射されて導光板を発光させるので、夜間には導光板表面の図柄が発光素子の光によって浮き上がって明瞭に視認することができる。
【００１０】
また、太陽光が導光板表面から背面に向けて入射すると、裏板で導光板の表面に向けて反射されるので、導光板の図柄は裏板の色彩中に浮かんで見え、裏板の色彩が例えば白色などの場合には昼間において図柄が白色をバックに鮮明に見える。
【００１１】
図柄を鮮明に視認する上で、導光板の図柄を半透光性又は不透光性とし、光の反射図柄を表面の図柄の背後に位置して表面の図柄と同一の大きさでかつ同一の形状に形成するのがよい。
【００１２】
また、上記では導光板の表面に視認されるべき図柄を形成したが、導光板と裏板との間に図柄を形成しても発光素子の光及び太陽光によって同様に明瞭に視認できる。
【００１３】
すなわち、本発明に係る発光表示装置は、文字及び／又は図形からなる図柄が発光素子の光によって視認できるようにした発光表示装置において、側面には光入射部が設けられ、裏面には側方からの光を前方に反射する光の反射図柄が形成された透光性の導光板と、該導光板の側面の光入射部に設けられ、上記導光板の側面から内方に向けて光を入射させる発光素子と、上記導光板の背後に配置され、上記導光板の表面から入射した光を前方に反射する裏板と、上記導光板と裏板との間に介在され、視認されるべき図柄が打ち抜き形成され、着色された透光性のカッティングシートと、を備えたことを特徴とする。
【００１４】
このカッティングシートの図柄は反射図柄の背後に位置して反射図柄と同一の大きさでかつ同一の形状に打ち抜き形成されるのがよい。
【００１５】
図柄は導光板の表面に形成されていればよく、例えば半透光性シート又は不透光性シートを図柄の形状に切り取ったカッティングシートを導光板の表面に貼り付けることによって構成されることができる。また、図柄は半透光性又は不透光性の塗料を用いて導光板の表面に塗布し又は印刷加工することによって構成されることもできる。
【００１６】
光の反射図柄は導光板の裏面を図柄と同一の形状にレーザー加工又はブラスト加工することによって形成することができる。また、光の反射図柄は半透光性又は不透光性の塗料を用いて導光板の裏面に塗布し又は印刷加工することによって構成されることもできる。
【００１７】
導光板の材料は光を透過し得る透明材料であれば特に限定されず、例えばポリカーボネートやアクリルなどのプラスチック材料やガラスなどを採用することができる。発光素子はＬＥＤなどの公知の素子を採用することができる。
【００１８】
カッティングシートの材料は半透光性又は不透光性があればよく、例えばプラスチック材料や紙を使用することができる。また、裏板の材料は光を反射できればよく、例えばプラスチック材料やガラスを使用することができる。
【発明を実施するための最良の形態】
【００１９】
以下、本発明を図面に示す具体例に基づいて詳細に説明する。図１ないし図３は本発明に係る発光表示装置の好ましい実施形態を示し、これは誘導標識に適用した例である。図において、誘導標識１０は導光板１１の下側に裏板１２を重ね、その周囲を金属製、例えばアルミニウム製のフレーム１３が囲んで構成されている。
【００２０】
導光板１１は例えばガラス板を用いて製作され、その表面には図柄１５が貼り付けられ、図柄１５は着色した透光性又は不透光性の薄い軟質プラスチックシートから文字や図形の形状に切り抜いたカッティングシートを用いて製作されている。例えば、「矢印」「５００ｍ」及び「津波図形」は青色、「津波避難場所」「人間」及び「Ｔｓｕｎａｍｉ  Ｅｖａｃｕａｔｉｏｎ  Ａｒｅａ」の文字は緑色の薄い軟質プラスチックシートから切り抜いたカッティングシートが用いられている。
【００２１】
また、導光板１１の裏面の図柄１５の背後の位置には光の反射図柄１６が例えばレーザー加工又はブラスト加工によって図柄１５と同一の大きさでかつ同一の形状に形成されている。
【００２２】
導光板１１の側面、例えば上方側面には嵌め込み凹部（光入射部）１１Ａが形成され、該嵌め込み凹部１１ＡにはＬＥＤ（発光素子）１７が適当な間隔をあけて嵌め込まれ、ＬＥＤ１７には駆動回路（図示せず）からの電流が通電されて発光し、導光板１１の内方に向けて光を入射させるようになっている。
【００２３】
他方、裏板１２には白色のプラスチック板が用いられている。なお、ＬＥＤ１７の電源は商用電源でもよく、蓄電池でもよく、太陽電池であってもよい。
【００２４】
昼間には太陽光Ｌ１が導光板１１の表面から背面に向けて入射すると、図３の(a)に示されるように、入射した光Ｌ１は裏板１２の表面で導光板１１の表面に向けて反射されるので、誘導標識１０の正面からは裏板１２の白色が透明な導光板１１を通してそのまま見え、図柄１５は太陽光の反射光によってその輪郭が鮮明にかつ白色の背景に鮮明に見えるので、昼間であっても誘導標識１０を明瞭に視認することができる。
【００２５】
夜間になると、ＬＥＤ１７が発光し、その光は導光板１１の側面から導光板１１の内方に向けて入射する。すると、図３の(b)に示されるように、導光板１１に入射した光のうち、導光板１１の表面又は裏面で反射された光は導光板１１の裏面又は表面に向かい、導光板１１の裏面又は表面で反射されるという挙動を繰り返すので、裏板１２の白色は誘導標識１０の外側からはほとんど認識できない。
【００２６】
他方、導光板１１に入射した光のうち、導光板１１の反射図柄１６で反射された光は導光板１１の表面に向かって進み、導光板１１の表面から出射し、導光板１１の表面の図柄１５は出光する光によってその輪郭が明瞭に見えるので、夜間には誘導標識１０の図柄１５は黒い背景に浮き上がって見える。
【００２７】
図４は第２の実施形態を示し、これは歩道などに設けられる誘導ブロックに適用した例である。本例では導光板１１’の下側には白色の裏板が設けられ、導光板１１’の上側がポリカーボネート製の保護カバー２０によって覆われ、保護カバー２０の表面には滑り止め用の凸部が形成されている。
【００２８】
導光板１１’の表面には「路上禁煙」及び「禁止と煙草とからなる禁煙の図形」の図柄１５’がカッティングシートを用いて形成され、導光板１１’の裏面には図柄１５’に対応して光反射図柄が形成されている。
【００２９】
また、導光板１１’の両側方にはＬＥＤが配置され、導光板１１’の上方には太陽電池２１が配置され、太陽電池２１を電源とするＬＥＤの通電回路が裏板の下側スペースに内蔵されている。
【００３０】
本例の誘導ブロックにおいても第１の実施形態と同様の作用効果を奏し、昼間には図柄１５’は太陽光の反射光によってその輪郭が鮮明にかつ白色の背景に鮮明に見える一方、夜間になると図柄１５’は黒い背景に浮き上がって見える。
【００３１】
図５及び図６は第３の実施形態を示し、図において図１ないし図３と同一符号は同一又は相当部分を示す。本例では導光板１１と裏板１２との間にカッティングシート１８が介在され、カッティングシート１８は着色した透光性の薄い軟質プラスチックシートを用い、反射図柄１６の背後に位置して反射図柄１６と同一の大きさでかつ同一の形状の図柄１９が打ち抜き形成されている。
【００３２】
本例では太陽光Ｌ１が導光板１１の表面から内部に向けて入射されると、図６の(a)に示されるように、着色された透光性のカッティングシート１８を通って裏板１２に達し、裏板１２で導光板１１の表面に向けて反射され、導光板１１の表面側にはカッティングシート１８の色と図柄１９を通して裏板１２の白色が見え、導光板１１の表面の図柄１５の廻りに裏板１２の白色が見え、図柄１５は太陽光の反射光によってその輪郭が白色に鮮明にかつカッティングシート１８の色の背景に鮮明に見えるので、昼間であっても誘導標識１０を明瞭に視認することができる。
【００３３】
夜間になると、ＬＥＤ１７が発光し、その光は導光板１１の側面から導光板１１の内方に向けて入射する。すると、図６の(b)に示されるように、導光板１１に入射した光のうち、導光板１１の表面又は裏面で反射された光は導光板１１の裏面又は表面に向かい、導光板１１の裏面又は表面で反射されるという挙動を繰り返すので、カッティングシート１８の色は誘導標識１０の外側からはほとんど認識できない。
【００３４】
他方、導光板１１に入射した光のうち、導光板１１の反射図柄１６で反射された光は導光板１１の表面に向かって進み、導光板１１の表面から出射し、導光板１１の表面の図柄１５は出光する光によってその輪郭が明瞭に見えるので、夜間には誘導標識１０の図柄１５は黒い背景に浮き上がって見える。
【００３５】
図７及び図８は第４の実施形態を示し、図において図５及び図６と同一符号は同一又は相当部分を示す。本例では導光板１１の表面に図柄１５が設けられていない以外は第３の形態と同様である。
【００３６】
太陽光Ｌ１が導光板１１の表面から内部に向けて入射されると、図８の(a)に示されるように、着色された透光性のカッティングシート１８を通って裏板１２に達し、裏板１２で導光板１１の表面に向けて反射され、導光板１１の表面側にはカッティングシート１８の色と図柄１９を通して裏板１２の白色が見え、カッティングシート１８の図柄１９がカッティングシート１８の色彩の中に白く浮かんで見え、昼間であっても誘導標識１０を明瞭に視認することができる。
【００３７】
夜間になると、ＬＥＤ１７が発光し、その光は導光板１１の側面から導光板１１の内方に向けて入射する。すると、図８の(b)に示されるように、導光板１１に入射した光のうち、導光板１１の表面又は裏面で反射された光は導光板１１の裏面又は表面に向かい、導光板１１の裏面又は表面で反射されるという挙動を繰り返すので、カッティングシート１８の色は誘導標識１０の外側からはほとんど認識できない。
【００３８】
他方、導光板１１に入射した光のうち、導光板１１の反射図柄１６で反射された光は導光板１１の表面に向かって進み、導光板１１の表面から出射し、反射図柄１６が出光する光によって明瞭に見えるので、夜間には誘導標識１０の反射図柄１６が黒い背景に浮き上がって見える。
【図面の簡単な説明】
【００３９】
【図１】本発明に係る発光表示装置の好ましい実施形態である誘導標識を示す概略斜視図である。
【図２】上記実施形態を示す要部断面図である。
【図３】上記実施形態における作動を説明するための図である。
【図４】第２の実施形態である誘導ブロックを示す概略斜視図である。
【図５】第３の実施形態を示す要部断面図である。
【図６】上記実施形態における作動を説明するための図である。
【図７】第４の実施形態を示す要部断面図である。
【図８】上記実施形態における作動を説明するための図である。
【符号の説明】
【００４０】
１０      誘導標識（発光表示装置）
１０’    誘導ブロック（発光表示装置）
１１、１１’      導光板
１１Ａ    嵌め込み凹部（光入射部）
１２      裏板
１５、１５’      図柄
１７      ＬＥＤ（発光素子）
２０      制御回路
１８      カッティングシート
１９      図柄
【図１】
0004966245.tif 000002
【図２】
0004966245.tif 000003
【図３】
0004966245.tif 000004
【図４】
0004966245.tif 000005
【図５】
0004966245.tif 000006
【図６】
0004966245.tif 000007
【図７】
0004966245.tif 000008
【図８】
0004966245.tif 000009